(57)【特許請求の範囲】
【請求項１】
ＳＭＦ（Ｓｅｓｓｉｏｎ  Ｍａｎａｇｅｍｅｎｔ Ｆｕｎｃｔｉｏｎ，セッション管理機能）は、ユーザー機器によって送信されたセッション確立リクエストを受信するネットワーク側装置が相互運用機能をサポートするかどうかを決定するステップと、
前記ＳＭＦは、前記ネットワーク側装置が相互運用機能をサポートしていることに応じて、前記ユーザー機器のセッション接続を確立するときに、異なるシステムのサービス品質（ＱｏＳ）パラメーター間のマッピングを実行することを決定するステップとを備え、
前記ユーザー機器によって送信されたセッション確立リクエストを受信するネットワーク側装置が相互運用機能をサポートするかどうかを判断する場合、
ユーザー機器にサービスを提供する訪問先ネットワークのセッション管理機能（ＳＭＦ）の指示を受信し、アクセス制御およびモビリティ管理機能（ＡＭＦ）が相互運用機能をサポートするかどうかを決定し、
前記ユーザー機器にサービスを提供する訪問先ネットワークのセッション管理機能（ＳＭＦ）の指示は、
前記訪問先ネットワークのセッション管理機能（ＳＭＦ）によって確立セッションリクエストにおいて運ばれる、前記アクセス制御およびモビリティ管理機能（ＡＭＦ）が相互運用機能をサポートしているかどうかを示すための、指示であるか、または、
前記訪問先ネットワークのセッション管理機能（ＳＭＦ）によって提供されるＥＰＳシステムベアラ識別子を示すための、指示であることを特徴とするセッション管理方法。
【請求項２】
前記ユーザー機器によって送信されたセッション確立リクエストを受信するネットワーク側装置が相互運用機能をサポートするかどうかを判断する場合、
セッション確立リクエストを受信したアクセス制御およびモビリティ管理機能（ＡＭＦ）が相互運用インターフェイスをサポートするかどうかに従って、前記アクセス制御およびモビリティ管理機能（ＡＭＦ）が相互運用機能をサポートするかどうかを決定することを特徴とする請求項１に記載のセッション管理方法。
【請求項３】
前記ネットワーク側装置が相互運用機能をサポートすることに応じて、前記ユーザー機器のセッション接続を確立するときに、異なるシステムのサービス品質（ＱｏＳ）パラメーター間のマッピングを実行することを決定する場合、
前記アクセス制御およびモビリティ管理機能（ＡＭＦ）が相互運用インターフェイスをサポートするとき、異なるシステムのサービス品質（ＱｏＳ）パラメーター間のマッピングを実行することを特徴とする請求項１または２に記載のセッション管理方法。
【請求項４】
前記異なるシステムのサービス品質（ＱｏＳ）パラメーター間のマッピングを実行する場合、
前記セッション接続が５Ｇシステムで確立されている場合、前記セッション接続に対応するＱｏＳパラメーターをＥＰＳシステムのＱｏＳパラメーターにマッピングし、または、
前記セッション接続がＥＰＳシステムで確立されている場合、前記セッション接続に対応するＱｏＳパラメーターを５ＧシステムのＱｏＳパラメーターにマッピングすることを特徴とする請求項１に記載のセッション管理方法。
【請求項５】
ユーザー機器によって送信されたセッション確立リクエストを受信するネットワーク側装置が相互運用機能をサポートするかどうかを決定するための第１の決定モジュールと、
前記ネットワーク側装置が相互運用機能をサポートしていることに応じて、前記ユーザー機器のセッション接続を確立するときに、異なるシステムのサービス品質（ＱｏＳ）パラメーター間のマッピングを実行することを決定するための第２の決定モジュールとを備え、
前記第１の決定モジュールは、
ユーザー機器にサービスを提供する訪問先ネットワークのセッション管理機能（ＳＭＦ）からの指示を受信し、アクセス制御およびモビリティ管理機能（ＡＭＦ）が相互運用機能をサポートするかどうかを決定し、
前記ユーザー機器にサービスを提供する訪問先ネットワークのセッション管理機能（ＳＭＦ）の指示は、
前記訪問先ネットワークのセッション管理機能（ＳＭＦ）によって確立セッションリクエストにおいて運ばれる、前記アクセス制御およびモビリティ管理機能（ＡＭＦ）が相互運用機能をサポートしているかどうかを示すための、指示であるか、または、
前記訪問先ネットワークのセッション管理機能（ＳＭＦ）によって提供されるＥＰＳシステムベアラ識別子を示すための、指示であることを特徴とするモバイルネットワークに適用するセッション管理装置。
【請求項６】
前記異なるシステムのサービス品質（ＱｏＳ）パラメーター間のマッピングを実行する場合、
前記セッション接続が５Ｇシステムで確立されている場合、前記セッション接続に対応するＱｏＳパラメーターをＥＰＳシステムのＱｏＳパラメーターにマッピングし、または、
前記セッション接続がＥＰＳシステムで確立されている場合、前記セッション接続に対応するＱｏＳパラメーターを５ＧシステムのＱｏＳパラメーターにマッピングすることを特徴とする請求項５に記載のモバイルネットワークに適用するセッション管理装置。
【発明の詳細な説明】
【技術分野】
【０００１】
［関連出願の相互参照］
本出願は、２０１７年６月６日に中国特許局に提出し、出願番号が２０１７１０４１８２４４.５であり、発明名称が「セッション管理方法および装置」および２０１７年８月９日に中国特許局に提出し、出願番号が２０１７１０６７７５９５.８であり、発明名称が「セッション管理方法および装置」との中国特許出願を基礎とする優先権を主張し、その開示の総てをここに取り込む。
【０００２】
［技術分野］
本発明は、通信技術分野に関し、特にセッション管理方法および装置に関する。
【背景技術】
【０００３】
モビリティ管理エンティティ（Ｍｏｂｉｌｉｔｙ Ｍａｎａｇｅｍｅｎｔ Ｅｎｔｉｔｙ，ＭＭＥ）および第５世代モバイルネットワーク（Ｔｈｅ Ｆｉｆｉｔｈ Ｇｅｎｅｒａｔｉｏｎ Ｍｏｂｉｌｅ Ｎｅｔｗｏｒｋ，５Ｇ）システムにおけるアクセス制御およびモビリティ管理機能（ａｃｃｅｓｓ ｃｏｎｔｒｏｌ ａｎｄ ｍｏｂｉｌｉｔｙ ｍａｎａｇｅｍｅｎｔ Ｆｕｎｃｔｉｏｎ，ＡＭＦ）との間のＮｘインターフェイスは、オプションでサポートされ、モバイルネットワークでＮｘインターフェイスがサポートされる場合、５ＧシステムとＥｖｏｌｖｅｄ Ｐａｃｋｅｔ Ｓｙｓｔｅｍ（ＥＰＳ）間のハンドオーバーをサポートできる。この時点で、ＭＭＥとＡＭＦの間で、モビリティコンテキストとセッション接続コンテキストを含むユーザー機器のコンテキスト情報が渡される。ユーザー機器がＮxインターフェースをサポートするネットワークにアクセスすると、ネットワークはその登録モードを、ユーザー機器が現在サポートする必要のある動作モードであるシングル登録モードとして設定できる。
【０００４】
Ｎｘインターフェースがモバイルネットワークによってサポートされていない場合、５Ｇシステムとロングタームエボリューション（Ｌｏｎｇ Ｔｅｒｍ Ｅｖｏｌｕｔｉｏｎ，ＬＴＥ）システムとの間のハンドオーバはサポートされておらず、このとき、相互運用をサポートするために、ユーザ機器はデュアル登録モード（ｄｕａｌ ｒｅｇｉｓｔｒａｔｉｏｎ ｍｏｄｅ）でモバイルネットワークに登録する必要がある。つまり、５ＧシステムとＥＰＳの両方に登録される。デュアル登録モードでサービス継続性をサポートするために、ネットワーク内のコントロールプレーンのセッション管理機能（Ｓｅｓｓｉｏｎ Ｍａｎａｇｅｍｅｎｔ Ｆｕｎｃｔｉｏｎ，ＳＭＦ）は、パケットデータネットワークゲートウェイ制御（ＰＤＮ ＧａｔｅＷａｙ−Ｃｏｎｔｒｏｌ，ＰＧＷ−Ｃ）の機能もサポートする必要がある。ＥＰＳと５Ｇシステム間で移動するユーザー機器のセッション接続は、ハンドオーバー登録を通じて常に同じユーザープレーンアンカーに固定できる。
【０００５】
デュアル登録のユーザー機器は、シングル無線（ｓｉｎｇｌｅ ｒａｄｉｏ，ＳＲ）能力ユーザー機器およびデュアル無線（ｄｕａｌ ｒａｄｉｏ，ＤＲ）能力ユーザー機器にさらに分類される。ＳＲユーザー機器は、一度に１つのサイドとのセッション接続のみを維持できる。つまり、ＥＰＳまたは５Ｇシステムのいずれかでのみセッション接続を維持できるため、ＵＥがＥＰＳと５Ｇシステムでは、必然的にパケットが失われ、シームレスなサービス継続性が保証されない。ＤＲユーザー機器はＥＰＳシステムと５Ｇシステムの両方に接続できるため、モバイルネットワーク内の異なるシステム間を移動するＤＲユーザー機器の接続は、メイクビフォアブレーク（ｍａｋｅ−ｂｅｆｏｒｅ−ｂｒｅａｋ）方式で切り替えることができる。サービスアクセスを保証できるように、機器は宛先元ネットワークからデータを受信するとともに、送信ネットワークからもデータを受信し続ける。
【０００６】
ユーザー機器は、適用されるシングル登録モードまたはデュアル登録モードについてネットワークとネゴシエートできるため、同じネットワーク内で異なる登録モードで動作するユーザー機器が存在する可能性がある。ネットワークで統一された相互運用モードがサポートされている場合でも、ＰＧＷ−Ｃ機能を備えたＳＭＦがゲートウェイアンカーの制御機能を実行できるようにネットワークを実際に展開し、現在のネットワークの両方にサービスを提供できる。オペレータだけでなく、ローミングシナリオで別のオペレータの訪問先ネットワークにサービスを提供することもできる。また、オペレータネットワークと訪問先ネットワークは異なる相互運用モードをサポートできる。
【０００７】
シングル登録モードで動作するユーザー機器にサービスを提供するために、ＰＧＷ−Ｃ機能をサポートするＳＭＦは、セッションを確立しながら異なるシステムのサービス品質（Ｑｕａｌｉｔｙ ｏｆ Ｓｅｒｖｉｃｅ，ＱｏＳ）パラメータ間のマッピングを実行するものとする。また、デュアル登録モードで動作するユーザー機器にサービスを提供するために、ＰＧＷ−Ｃ機能をサポートするＳＭＦは、異なるシステムのＱｏＳパラメーター間のマッピングを実行しない。
【発明の概要】
【発明が解決しようとする課題】
【０００８】
したがって、従来技術には、ＰＧＷ−Ｃ機能をサポートするＳＭＦがユーザー機器の登録モードを識別できず、ユーザー機器を異なるように扱うことができない、またはＳＭＦは、ユーザー機器からセッションリクエストを受信するＡＭＦが相互運用機能をサポートしているかを決定できないため、ユーザー機器がモバイルネットワークでセッション接続を確立するとき、前記ＳＭＦはＱｏＳパラメーター間のマッピングを実行するかどうかを判断できず、前記ＳＭＦがいつもＱｏＳパラメーター間のマッピングを実行すれば、異なるシステムでは、デュアル登録モードで動作しているユーザー機器の不必要なシグナリングプロセスが行ってしまう。
【０００９】
本発明の実施例は、セッション管理方法および装置を提供し、ＰＧＷ−Ｃ機能をサポートするＳＭＦがユーザー機器の登録モードを識別できず、ユーザー機器を異なるように扱うことができない。またはＳＭＦは、ユーザー機器からセッションリクエストを受信するＡＭＦが相互運用機能をサポートしているかを決定できないため、ユーザー機器がモバイルネットワークでセッション接続を確立するとき、前記ＳＭＦはＱｏＳパラメーター間のマッピングを実行するかどうかを判断できず、前記ＳＭＦがいつもＱｏＳパラメーター間のマッピングを実行すれば、異なるシステムでは、デュアル登録モードで動作しているユーザー機器の不必要なシグナリングプロセスが行ってしまうという従来技術の問題を解決する。
【課題を解決するための手段】
【００１０】
第１の態様によれば、本発明の一実施例による、モバイルネットワークに適用するセッション管理方法は、セッション確立リクエストを送信するユーザー機器の登録モードを決定するか、ユーザー機器によって送信されたセッション確立リクエストを受信するネットワーク側装置が相互運用機能をサポートするかどうかを決定するステップと、前記登録モードがシングル登録モードであるか、前記ネットワーク側装置が相互運用機能をサポートしていることに応じて、前記ユーザー機器のセッション接続を確立するときに、異なるシステムのサービス品質（ＱｏＳ）パラメーター間のマッピングを実行することを決定する。
【００１１】
選択可能で、前記セッション確立リクエストを送信するユーザー機器の登録モードを決定する場合、
アクセス制御およびモビリティ管理機能エンティティ（ＡＭＦ）によって提供される前記ユーザー機器の登録モード情報に従って、シングル登録モードまたはデュアル登録モードとしてユーザ機器の登録モードを決定し、
または、前記ユーザー機器から受信されたセッション確立リクエストメッセージに含まれる登録モード情報に従って、シングル登録モードまたはデュアル登録モードとしてユーザ機器の登録モードを決定する。
【００１２】
選択可能で、前記アクセス制御およびモビリティ管理機能エンティティ（ＡＭＦ）によって提供される前記ユーザー機器の登録モード情報に従って、シングル登録モードまたはデュアル登録モードとしてユーザ機器の登録モードを決定する場合、
アクセス制御およびモビリティ管理機能エンティティ（ＡＭＦ）が前記セッション確立リクエストを転送するときに前記ＡＭＦが提供した前記ユーザー機器の登録モード情報に従って、前記ユーザー機器の登録モードを決定する。
【００１３】
選択可能で、前記方法では、さらに、前記ユーザー機器の登録モード更新プロセスにおいて、前記ユーザー機器の登録モードが変更された場合、受信されたアクセス制御およびモビリティ管理機能エンティティ（ＡＭＦ）によって提供される前記ユーザー機器の変更された登録モードに従って、前記ユーザー機器の登録モードを決定する。
【００１４】
選択可能で、前記ユーザー機器によって送信されたセッション確立リクエストを受信するネットワーク側装置が相互運用機能をサポートするかどうかを判断する場合、
セッション確立リクエストを受信したアクセス制御およびモビリティ管理機能エンティティ（ＡＭＦ）が相互運用インターフェイスをサポートするかどうかに従って、前記アクセス制御およびモビリティ管理機能エンティティ（ＡＭＦ）が相互運用機能をサポートするかどうかを決定する。
【００１５】
選択可能で、前記ユーザー機器によって送信されたセッション確立リクエストを受信するネットワーク側装置が相互運用機能をサポートするかどうかを判断する場合、
ユーザー機器にサービスを提供するアクセス制御およびモビリティ管理機能エンティティ（ＡＭＦ）からの指示、またはユーザー機器にサービスを提供する訪問先ネットワークのセッション管理機能エンティティ（ＳＭＦ）からの指示を受信し、前記アクセス制御およびモビリティ管理機能エンティティ（ＡＭＦ）が相互運用機能をサポートするかどうかを決定する。
【００１６】
選択可能で、前記ユーザー機器にサービスを提供する訪問先ネットワークのセッション管理機能エンティティ（ＳＭＦ）の指示は、
前記訪問先ネットワークのセッション管理機能エンティティ（ＳＭＦ）によって確立セッションリクエストにおいて運ばれる、前記アクセス制御およびモビリティ管理機能エンティティ（ＡＭＦ）が相互運用機能をサポートしているかどうかを示すための、指示であるか、または、
前記訪問先ネットワークのセッション管理機能エンティティ（ＳＭＦ）によって提供されるＥＰＳシステムベアラ識別子を示すための、指示である。
【００１７】
選択可能で、前記ネットワーク側装置が相互運用機能をサポートすることに応じて、前記ユーザー機器のセッション接続を確立するときに、異なるシステムのサービス品質（ＱｏＳ）パラメーター間のマッピングを実行することを決定する場合、
前記アクセス制御およびモビリティ管理機能エンティティ（ＡＭＦ）が相互運用インターフェイスをサポートするとき、異なるシステムのサービス品質（ＱｏＳ）パラメーター間のマッピングを実行する。
【００１８】
選択可能で、前記異なるシステムのサービス品質（ＱｏＳ）パラメーター間のマッピングを実行することは、具体的に、
前記セッション接続が５Ｇシステムで確立されている場合、前記セッション接続に対応するＱｏＳパラメーターをＥＰＳシステムのＱｏＳパラメーターにマッピングし、または、
前記セッション接続がＥＰＳシステムで確立されている場合、前記セッション接続に対応するＱｏＳパラメーターを５ＧシステムのＱｏＳパラメーターにマッピングする。
【００１９】
第２の態様によれば、本発明の一実施例によるモバイルネットワークに適用するセッション管理装置は、セッション確立リクエストを送信するユーザー機器の登録モードを決定するか、ユーザー機器によって送信されたセッション確立リクエストを受信するネットワーク側装置が相互運用機能をサポートするかどうかを決定するための第１の決定モジュールと、
前記登録モードがシングル登録モードであるか、前記ネットワーク側装置が相互運用機能をサポートしていることに応じて、前記ユーザー機器のセッション接続を確立するときに、異なるシステムのサービス品質（ＱｏＳ）パラメーター間のマッピングを実行することを決定するための第２の決定モジュールとを備える。
【００２０】
選択可能で、前記第１の決定モジュールは、
アクセス制御およびモビリティ管理機能エンティティ（ＡＭＦ）によって提供される前記ユーザー機器の登録モード情報に従って、シングル登録モードまたはデュアル登録モードとしてユーザ機器の登録モードを決定するための第１の決定サブモジュール、または、
受信された前記ユーザー機器の、セッション確立リクエストメッセージに含まれる登録モード情報に従って、シングル登録モードまたはデュアル登録モードとしてユーザ機器の登録モードを決定するために第２の決定サブモジュールを備える。
【００２１】
選択可能で、前記第１の決定サブモジュールは具体的に、アクセス制御およびモビリティ管理機能エンティティ（ＡＭＦ）が前記セッション確立リクエストを転送するときに前記ＡＭＦが提供した前記ユーザー機器の登録モード情報に従って、前記ユーザー機器の登録モードを決定する。
【００２２】
選択可能で、前記装置は、
前記ユーザー機器の登録モード更新プロセスにおいて、前記ユーザー機器の登録モードが変更された場合、受信されたアクセス制御およびモビリティ管理機能エンティティ（ＡＭＦ）によって提供される前記ユーザー機器の変更された登録モードに従って、前記ユーザー機器の登録モードを決定するための第３の決定モジュールをさらに備える。
【００２３】
選択可能で、前記第１の決定モジュールは具体的に、セッション確立リクエストを受信したアクセス制御およびモビリティ管理機能エンティティ（ＡＭＦ）が相互運用インターフェイスをサポートするかどうかに従って、前記アクセス制御およびモビリティ管理機能エンティティ（ＡＭＦ）が相互運用機能をサポートするかどうかを決定する。
【００２４】
選択可能で、前記第１の決定モジュールは具体的に、ユーザー機器にサービスを提供するアクセス制御およびモビリティ管理機能エンティティ（ＡＭＦ）からの指示、またはユーザー機器にサービスを提供する訪問先ネットワークのセッション管理機能エンティティ（ＳＭＦ）からの指示を受信し、前記アクセス制御およびモビリティ管理機能エンティティ（ＡＭＦ）が相互運用機能をサポートするかどうかを決定する。
【００２５】
選択可能で、前記ユーザー機器にサービスを提供する訪問先ネットワークのセッション管理機能エンティティ（ＳＭＦ）の指示は、
前記訪問先ネットワークのセッション管理機能エンティティ（ＳＭＦ）によって確立セッションリクエストにおいて運ばれる、前記アクセス制御およびモビリティ管理機能エンティティ（ＡＭＦ）が相互運用機能をサポートしているかどうかを示すための、指示を含むか、または、
前記訪問先ネットワークのセッション管理機能エンティティ（ＳＭＦ）によって提供されるＥＰＳシステムベアラ識別子を示すための、指示を含む。
【００２６】
選択可能で、前記第２の決定モジュールは具体的に、前記アクセス制御およびモビリティ管理機能エンティティ（ＡＭＦ）が相互運用インターフェイスをサポートするとき、異なるシステムのサービス品質（ＱｏＳ）パラメーター間のマッピングを実行する。
【００２７】
選択可能で、前記異なるシステムのサービス品質（ＱｏＳ）パラメーター間のマッピングを実行することは、具体的に、
前記セッション接続が５Ｇシステムで確立されている場合、前記セッション接続に対応するＱｏＳパラメーターをＥＰＳシステムのＱｏＳパラメーターにマッピングし、または、
前記セッション接続がＥＰＳシステムで確立されている場合、前記セッション接続に対応するＱｏＳパラメーターを５ＧシステムのＱｏＳパラメーターにマッピングする。
【００２８】
第３の態様によれば、本発明の一実施例によるコンピュータ装置は、プロセッサを備え、前記プロセッサは、上述の実施例による前記セッション管理方法を実施するために、メモリに格納されたコンピュータプログラムを実行する。
【００２９】
第４の態様によれば、本発明の一実施例は、プロセッサによって実行されると、上述の実施例による前記セッション管理方法を実行するように構成されたコンピュータプログラムを記憶するコンピュータ可読記憶媒体を提供する。
【００３０】
第５の態様によれば、本発明の一実施例による通信装置は、
メモリ内のプログラムを読み取って実行するように構成されたプロセッサと、
プロセッサの制御下でデータを送受信するように構成された送受信機とを備え、
前記プロセッサは、セッション確立リクエストを送信するユーザー機器の登録モードを決定するか、ユーザー機器によって送信されたセッション確立リクエストを受信するネットワーク側装置が相互運用機能をサポートするかどうかを決定し、
前記登録モードがシングル登録モードであるか、前記ネットワーク側装置が相互運用機能をサポートしていることに応じて、前記ユーザー機器のセッション接続を確立するときに、異なるシステムのサービス品質（ＱｏＳ）パラメーター間のマッピングを実行することを決定する。
【発明の効果】
【００３１】
本発明の実施例によって提供される技術案は以下の技術的効果が存在する。
【００３２】
ＰＧＷ−Ｃ機能をサポートするＳＭＦは、ユーザー機器の登録モードを決定することができ、またはＡＭＦが相互運用機能をサポートするかどうかを決定することができる。登録モードまたはＡＭＦが相互運用機能をサポートするかどうかに従って、モバイルネットワークの異なるシステムのＱｏＳパラメーター間のマッピングを実行することにより、前記ＳＭＦがセッション接続のために異なるシステムのＱｏＳパラメーター間のマッピングを正しく実行できるようにする。
【図面の簡単な説明】
【００３３】
【図１】従来技術における５ＧシステムとＥＰＳとの間の相互運用をサポートするネットワークアーキテクチャモデルである。
【図２】本発明の実施例によるセッション管理方法の第１のフローチャートである。
【図３】本発明の実施例によるセッション管理方法の第２のフローチャートである。
【図４】本発明の実施例によるセッション管理方法の第３のフローチャートである。
【図５Ａ】本発明の実施例によるセッション管理方法の第４のフローチャートである。
【図５Ｂ】本発明の実施例によるセッション管理方法の第５のフローチャートである。
【図６】本発明の実施例によるセッション管理装置の第１の概略図である。
【発明を実施するための形態】
【００３４】
上記の技術的問題に対処するために、本発明の一実施形態によるセッション管理の技術案では、セッション確立リクエストを受信し、前記セッション確立リクエストを送信するユーザー機器の登録モードを決定し、前記ユーザー機器の登録モードに従って、前記ユーザー機器のセッション接続を確立するときに異なるシステムのサービス品質（ＱｏＳ）パラメーター間のマッピングを実行するかどうかを決定する。
【００３５】
上記の技術的解決策をよりよく理解するために、図面およびその特定の実施を参照して、技術的解決策を以下で詳細に説明する。
【００３６】
図１に示すように、モバイルネットワークに適用する本発明の実施例１によるセッション管理方法は、以下のステップを備える。
【００３７】
ステップＳ１０１において、前記セッション確立リクエストを送信するユーザー機器の登録モードを決定するか、または、ユーザー機器によって送信されたセッション確立リクエストを受信するネットワーク側装置が相互運用機能をサポートするかどうかを決定する。
【００３８】
ステップＳ１０２において、前記登録モードがシングル登録モードであること、または、前記ネットワーク側装置が相互運用機能をサポートすることに応じて、前記ユーザー機器のセッション接続を確立するときに、異なるシステムのサービス品質（ＱｏＳ）パラメーター間のマッピングを実行することを決定する。
【００３９】
具体的に、ステップＳ１０１では、
ＡＭＦによって提供される前記ユーザー機器の登録モード情報に従って、シングル登録モードまたはデュアル登録モードとしてユーザ機器の登録モードを決定する。具体的に、ＳＭＦは、ＡＭＦが前記セッション確立リクエストを転送するときに前記ＡＭＦが提供した前記ユーザー機器の登録モード情報に従って、前記ユーザー機器の登録モードを決定する。または、ＳＭＦは、ＡＭＦがＳＭＦのセッション管理リクエストに応答する間、ＡＭＦによって返された前記ユーザー機器の登録モードに従って、前記ユーザー機器の登録モードを決定する。または、受信された前記ユーザー機器の、セッション確立リクエストメッセージに含まれる登録モード情報に従って、シングル登録モードまたはデュアル登録モードとしてユーザ機器の登録モードを決定する。この前に、ステップＳ１０１の前、セッション確立リクエストを受信するステップをさらに備えることもできる。
【００４０】
または、前記セッション確立リクエスのアクセス制御およびモビリティ管理機能エンティティ（ＡＭＦ）が相互運用インターフェイスをサポートするかどうかに従って、前記アクセス制御およびモビリティ管理機能エンティティ（ＡＭＦ）が相互運用機能をサポートするかどうかを決定する。
【００４１】
または、ユーザー機器にサービスを提供するアクセス制御およびモビリティ管理機能エンティティ（ＡＭＦ）からの指示、またはユーザー機器にサービスを提供する訪問先ネットワークのセッション管理機能エンティティ（ＳＭＦ）からの指示を受信し、前記アクセス制御およびモビリティ管理機能エンティティ（ＡＭＦ）が相互運用機能をサポートするかどうかを決定する。前記ユーザー機器にサービスを提供する訪問先ネットワークのセッション管理機能エンティティ（ＳＭＦ）の指示は、前記訪問先ネットワークのセッション管理機能エンティティ（ＳＭＦ）によって確立セッションリクエストにおいて運ばれる、前記アクセス制御およびモビリティ管理機能エンティティ（ＡＭＦ）が相互運用機能をサポートしているかどうかを示すための、指示を含むか、または、前記訪問先ネットワークのセッション管理機能エンティティ（ＳＭＦ）によって提供されるＥＰＳシステムベアラ識別子を示すための、指示を含む。
【００４２】
さらに、ステップＳ１０１で決定されたユーザー機器の登録モードは、ユーザー機器が移動している間に更新されてもよい。そして、前記ユーザー機器の登録モードが変更される場合、ＡＭＦによって提供される前記ユーザー機器の変更された登録モードに従って、前記ユーザー機器の登録モードを決定する。
【００４３】
ステップＳ１０１が実行された後、ステップＳ１０２は特に以下のようにさらに実行される。
【００４４】
前記ユーザー機器の登録モードがシングル登録モードである場合、異なるシステムのサービス品質（ＱｏＳ）パラメーター間のマッピングを実行する。具体的に、前記ユーザー機器の登録モードがシングル登録モードである場合、モバイルネットワークにおける５ＧシステムＱｏＳパラメータとＥＰＳシステムのＱｏＳパラメーター間でマッピングが実行される。または、アクセス制御およびモビリティ管理機能エンティティ（ＡＭＦ）が相互運用インターフェイスをサポートしている場合、異なるシステムのサービス品質（ＱｏＳ）パラメーター間のマッピングを実行する。
【００４５】
セッション接続が５Ｇシステムで確立される場合、前記セッション接続に対応するＱｏＳパラメーターをＥＰＳシステムのＱｏＳパラメーターにマッピングし、セッション接続がＥＰＳシステムで確立されている場合、前記セッション接続に対応するＱｏＳパラメーターを５ＧシステムのＱｏＳパラメーターにマッピングする。
【００４６】
さらに、前記ユーザー機器の登録モードがデュアル登録モードである場合、異なるシステムのサービス品質（ＱｏＳ）パラメーター間のマッピングを実行しない。具体的に、前記ユーザー機器の登録モードがデュアル登録モードである場合、モバイルネットワークにおける５ＧシステムＱｏＳパラメータとＥＰＳシステムのＱｏＳパラメーター間でマッピングが実行されない。
【００４７】
本実施形態による技術的解決策では、ユーザー機器の登録モードがシングル登録モードである場合、すなわち、ユーザー機器が５ＧシステムまたはＥＰＳのみに登録される場合、または、ネットワーク側装置が相互運用機能をサポートする場合、マッピングは５ＧシステムのＱｏＳパラメーターとＥＰＳのＱｏＳパラメーター間で実行されるため、ユーザー機器がＥＰＳと５Ｇシステムの間で移動する間、ユーザー機器のセッション接続は、常に同じユーザープレーンアンカーに固定される。ユーザー機器の登録モードがデュアル登録モードである場合、つまりユーザー機器が５ＧシステムとＥＰＳの両方に登録されている場合、ユーザー機器のセッション接続は、常に同じユーザープレーンアンカーに固定されるため、モバイルネットワークにおける５ＧシステムＱｏＳパラメータとＥＰＳシステムのＱｏＳパラメーター間でのマッピングは実行されない。したがって、ユーザー機器がモバイルネットワーク内の異なるシステム間を移動している間、ユーザー機器のセッション接続の継続性を保証することができる。
【００４８】
本発明をよりよく理解するために、本発明を一例挙げてさらに説明する。図２は、ユーザー機器のセッション確立間のセッション管理方法を示し、この方法は以下のステップを含む。
【００４９】
ステップＳ２０１において、ＡＭＦは、ユーザー機器の登録モードを決定するためにユーザー機器とネゴシエートする。
【００５０】
ステップＳ２０２において、ＳＭＦは、ＡＭＦを介してユーザー機器によって開始されたセッション接続リクエストを受信し、ＳＭＦがユーザーによって開始されたセッション接続リクエストを受信すると、ＳＭＦは、セッション接続リクエストを送信するユーザー機器の登録モードを次の２つの方式で決定する。
【００５１】
ユーザー機器の登録モードの決定には、以下の２つの方式があり得る。
【００５２】
方式１では、ユーザー機器の登録モードは、ＡＭＦにより提供されるユーザー機器の登録モード情報に従って決定される。
具体的には、ユーザー機器は最初にセッション確立リクエストメッセージを送信し、ＡＭＦがＳＭＦに前記セッション確立リクエストメッセージを転送するとき、ＡＭＦはセッション確立リクエストを当該ＳＭＦに送信するユーザー機器の登録モード情報を示す。または、ＳＭＦは、ＡＭＦがＳＭＦのセッション管理リクエストに応答する間、ＡＭＦによって返された前記ユーザー機器の登録モードに従って、前記ユーザー機器の登録モードを決定する。
【００５３】
方式２では、ユーザー機器の登録モードは、ユーザー機器によって提供される登録モード情報に従って決定される。
具体的には、ＳＭＦｇがユーザー機器のセッション確立リクエストを受信すると、当該ユーザー機器によって送信されたセッション確立リクエストメッセージには、当該ユーザー機器の登録モード情報が含まれる。
【００５４】
ステップＳ２０３において、ＳＭＦは、前記ユーザー機器の登録モードに従って、前記ユーザー機器のセッション接続を確立するときに異なるシステムのサービス品質（ＱｏＳ）パラメーター間のマッピングを実行するかどうかを決定する。これは、特に上記ステップＳ１０２で説明したように決定することができる。
【００５５】
図３に示すように、ユーザー機器は、５ＧシステムとＥＰＳとの間でハンドオーバーすることができるセッション接続を確立し、セッション管理方法は特に以下のステップを含む。
ステップＳ３０１は、セッション接続を確立する。
ステップＳ３０２は、ユーザー機器が移動している間に、ユーザー機器によって登録モード更新プロセスを実行する。
ステップＳ３０３は、前記登録モード更新プロセスで前記ユーザー機器の登録モードが変更された場合、ＳＭＦは、ＡＭＦによって提供される前記ユーザー機器の変更された登録モードに従って、前記ユーザー機器の登録モードを決定する。
【００５６】
特に、ユーザー機器の登録モードは、以下のように決定することができる。
方式１では、ＡＭＦは、ユーザー機器の登録モードが変更されたと判断すると、ユーザー機器のコンテキスト情報におけるセッション接続に対応するＳＭＦの識別子（ＩＤ）に従って相互運用をサポートするＳＭＦを決定する。ＡＭＦは、相互運用をサポートするＳＭＦに、変更された登録モードを通知する。ＳＭＦは、ＡＭＦによって通知された変更された登録モードに従って、ユーザー機器の変更された登録モードを決定する。
方式２では、ユーザー機器は、自身の登録モードが変更されたと判断すると、セッション修正プロセスを開始し、登録モードが変更されたことをＳＭＦに通知する。ＳＭＦは、当該通知に従って、ユーザー機器の変更された登録モードを決定する。ＳＭＦが相互運用をサポートしている場合、ステップＳ３０４に進む。
【００５７】
ステップＳ３０４において、ＳＭＦは、前記ユーザー機器の変更された登録モードに従って、前記ユーザー機器のセッション接続を確立するときに異なるシステムのサービス品質（ＱｏＳ）パラメーター間のマッピングを実行するかどうかを決定する。これは、特に上記のステップＳ１０２で説明したように決定することができる。
【００５８】
図４に示すように、パケットデータユニット（Ｐａｃｋｅｔ Ｄａｔａ Ｕｎｉｔ，ＰＤＵ）セッションは、特にＰＤＵセッション確立プロセスの以下のステップで管理される。
【００５９】
ステップＳ４０１において、ＡＭＦは、ユーザー機器によって送信されたＰＤＵセッション確立リクエストを受信する。
【００６０】
ステップＳ４０２において、ＡＭＦは、ＰＤＵセッションを確立するためにＳＭＦにリクエストし、ＡＭＦがセッション確立リクエストを利用してＳＭＦへの相互運用能力をサポートするかどうかを示す。
【００６１】
ステップＳ４０３において、ＳＭＦは、ＡＭＦによって示されるように、ＡＭＦが相互運用能力、すなわちＮ２６インターフェースをサポートするかどうかに従って異なるシステムのサービス品質（ＱｏＳ）パラメーター間のマッピングを実行するかどうかを決定する。ＡＭＦが相互運用機能をサポートしている場合、マッピングは異なるシステムのＱｏＳパラメーター間で実行される。
【００６２】
ステップＳ４０４では、従来技術と同様に、ＰＤＵセッションが確立される。
【００６３】
または、図５Ａに示されるように、ＰＤＵセッションは、特に、ＰＤＵセッション確立プロセスの以下のステップで管理される。
【００６４】
ステップＳ５０１Ａにおいて、ＵＥ（Ｕｓｅｒ Ｅｑｕｉｐｍｅｎｔ，ユーザー機器）は、訪問先ネットワークＶＰＬＭＮ（訪問先ＰＬＭＮ；ＰＬＭＮ：Ｐｕｂｌｉｃ Ｌａｎｄ Ｍｏｂｉｌｅ Ｎｅｔｗｏｒｋ，公衆陸上移動ネットワーク）でＰＤＵセッション確立を開始し、訪問先ネットワーク内のＡＭＦは、ＵＥによって送信されたＰＤＵセッション確立リクエストを受信する。
【００６５】
ステップＳ５０２Ａにおいて、ＡＭＦがＵＥのホームＳＭＦへのＰＤＵセッションを確立することを決定した場合、すなわち、ＰＤＵセッションのアンカーがホームネットワークに位置する場合、ＡＭＦは、従来技術と同様に、Ｖ-ＳＭＦ（訪問先ＳＭＦ）およびＨ-ＳＭＦ（ホームＳＭＦ）を選択して、セッション確立リクエストをＶ-ＳＭＦに送信する。リクエストメッセージには、ネットワークによってサポートされる相互運用機能が（つまり、ＡＭＦがＮ２６インターフェイスをサポートするかどうか）含まれることができる。
【００６６】
ステップＳ５０３Ａでは、Ｖ−ＳＭＦがＡＭＦのリクエストを受信した後、Ｖ−ＳＭＦはセッション確立リクエストをＨ−ＳＭＦに送信し、リクエストには、訪問先ネットワーク内のＡＭＦが相互運用機能をサポートするかどうかを示す指示が含まれる。当該指示は、ＡＭＦから受信するか、Ｖ−ＳＭＦで静的に構成でき、たとえば、Ｖ−ＳＭＦの確立セッションリクエストに含まれる前記アクセス制御およびモビリティ管理機能エンティティ（ＡＭＦ）が相互運用機能をサポートするかどうかを示す指示であるか、または、Ｖ−ＳＭＦによって提供されるＥＰＳシステムのベアラ識別子を示す指示である。
【００６７】
ステップＳ５０４Ａにおいて、Ｈ−ＳＭＦがＶ−ＳＭＦのセッション確立リクエストを受信した後、Ｈ−ＳＭＦは、ＡＭＦが相互運用機能をサポートするかどうかに従って、つまり、ＡＭＦがＮ２６インターフェイスをサポートするかどうかに従って、異なるシステムのＱｏＳパラメータ間のマッピングを実行するかどうかを決定する。ＡＭＦが相互運用機能をサポートしている場合、マッピングは異なるシステムのＱｏＳパラメーター間で実行される。
【００６８】
ステップＳ５０５Ａにおいて、ＰＤＵセッションは従来技術のように確立される。
【００６９】
または、図５Ｂに示されるように、ＰＤＵセッションは、特に、ＰＤＵセッション確立プロセスの以下のステップで管理される。
【００７０】
ステップＳ５０１Ｂにおいて、ＵＥは、ＰＤＵセッション確立プロセスを開始する。
【００７１】
ステップＳ５０２Ｂにおいて、ＡＭＦは、ＵＥによって送信されたＰＤＵセッション確立リクエストを受信すると、ＰＤＭセッション確立リクエストをＳＭＦに送信する。この時点でＵＥが訪問先ネットワークにある場合、ＡＭＦはＰＤＵセッション確立リクエストをＶ-ＳＭＦに送信する。
【００７２】
ステップＳ５０３ＢにおいてＳＭＦまたはＶ−ＳＭＦがリクエストを受信した後、ＳＭＦまたはＶ−ＳＭＦは、ＡＭＦにメッセージを送信して、ＡＭＦが当該セッションにＥＢI（ＥＰＳ ｂｅａｒｅｒ ＩＤ，ＥＰＳベアラ識別子）を割り当てるようにリクエストする。
【００７３】
ステップＳ５０４Ｂにおいて、ＡＭＦは、ＡＭＦによりサポートされる相互運用能力に従って、ＰＤＵセッションにＥＢＩを割り当てるかどうかを決定し、ＡＭＦがＮ２６インターフェースをサポートする場合、ＡＭＦはＰＤＵセッションにＥＢＩを割り当てる。それ以外の場合、ＡＭＦはＥＢIを割り当てない。割り当て結果は、応答でＳＭＦまたはＶ-ＳＭＦに返される。
【００７４】
ステップＳ５０５Ｂにおいて、ＳＭＦは、ＥＢＩ割り当て結果に従って、ＱｏＳパラメータをＥＰＳシステムにマッピングするかどうかを決定し、ＥＢＩが割り当てられている場合、ＳＭＦは、ＱｏＳパラメータをマッピングすることを決定する。そうでない場合、ＳＭＦはＱｏＳパラメーターをマッピングしないことを決定する。Ｖ-ＳＭＦは、ＥＢＩの割り当て結果に従って、ネットワークによってサポートされる相互運用機能を決定し、ネットワークによってサポートされる相互運用機能および/またはＥＢIをＨ-ＳＭＦに送信する。
【００７５】
ステップＳ５０６Ｂにおいて、Ｈ−ＳＭＦがＶ−ＳＭＦからＥＢＩを受信する場合、ＱｏＳパラメータをＥＰＳシステムにマッピングし、受信した指示がネットワークによってサポートされる相互運用機能がＮ２６をサポートしないことを示す場合、ＱｏＳパラメーターをＥＰＳにマッピングしない。
【００７６】
ステップＳ５０７Ｂでは、ＰＤＵセッションが従来技術のように確立される。
【００７７】
図６に示される本発明の実施例によるモバイルネットワークに適用するセッション管理装置は、
セッション確立リクエストを送信するユーザー機器の登録モードを決定するか、ユーザー機器によって送信されたセッション確立リクエストを受信するネットワーク側装置が相互運用機能をサポートするかどうかを決定するための第１の決定モジュール６０１と、
前記登録モードがシングル登録モードであるか、前記ネットワーク側装置が相互運用機能をサポートしていることに応じて、前記ユーザー機器のセッション接続を確立するときに、異なるシステムのサービス品質（ＱｏＳ）パラメーター間のマッピングを実行することを決定するための第２の決定モジュール６０２とを備える。
【００７８】
前記第１の決定モジュール６０１は、第１の決定サブモジュールまたは、第２の決定サブモジュールを備える。
【００７９】
前記第１の決定サブモジュールは、ＡＭＦによって提供される前記ユーザー機器の登録モード情報に従って、シングル登録モードまたはデュアル登録モードとしてユーザ機器の登録モードを決定する。具体的に、第１の決定サブモジュールは、ＡＭＦがセッション確立リクエストを転送する間に、ＡＭＦが提供した前記ユーザー機器の登録モード情報に従って、前記ユーザー機器の登録モードを決定する。または、第１の決定サブモジュールは、ＡＭＦがＳＭＦのセッション管理リクエストに応答する間、ＡＭＦによって返された前記ユーザー機器の登録モードに従って、前記ユーザー機器の登録モードを決定する。または、前記第２の決定サブモジュールは、受信された前記ユーザー機器の、セッション確立リクエストメッセージに含まれる登録モード情報に従って、シングル登録モードまたはデュアル登録モードとしてユーザ機器の登録モードを決定する。当該装置は、セッション確立リクエストを受信するための受信モジュールをさらに備える。
【００８０】
または、前記第１の決定モジュール６０１は、具体的に、前記セッション確立リクエスのアクセス制御およびモビリティ管理機能エンティティ（ＡＭＦ）が相互運用インターフェイスをサポートするかどうかに従って、前記アクセス制御およびモビリティ管理機能エンティティ（ＡＭＦ）が相互運用機能をサポートするかどうかを決定する。
【００８１】
または、前記第１の決定モジュール６０１は、具体的に、ユーザー機器にサービスを提供するアクセス制御およびモビリティ管理機能エンティティ（ＡＭＦ）からの指示、またはユーザー機器にサービスを提供する訪問先ネットワークのセッション管理機能エンティティ（ＳＭＦ）からの指示を受信し、前記アクセス制御およびモビリティ管理機能エンティティ（ＡＭＦ）が相互運用機能をサポートするかどうかを決定する。ここで、前記ユーザー機器にサービスを提供する訪問先ネットワークのセッション管理機能エンティティ（ＳＭＦ）の指示は、前記訪問先ネットワークのセッション管理機能エンティティ（ＳＭＦ）によって確立セッションリクエストにおいて運ばれる、前記アクセス制御およびモビリティ管理機能エンティティ（ＡＭＦ）が相互運用機能をサポートしているかどうかを示すための、指示を含むか、または、前記訪問先ネットワークのセッション管理機能エンティティ（ＳＭＦ）によって提供されるＥＰＳシステムベアラ識別子を示すための、指示を含む。
ここで、ＳＭＦはＰＧＷ−Ｃ機能をサポートする。
【００８２】
さらに、当該セッション管理装置は第３の決定モジュールをさらに備える。ユーザー機器が移動している間に、ユーザー機器の登録モードが更新される場合もある。前記第３の決定モジュールは、前記ユーザー機器の登録モードが更新される場合、受信されたアクセス制御およびモビリティ管理機能エンティティ（ＡＭＦ）によって提供される前記ユーザー機器の変更された登録モードに従って、前記ユーザー機器の登録モードを決定する。
【００８３】
前記第２の決定モジュール６０２は、さらに、前記ユーザー機器の登録モードがシングル登録モードである場合、異なるシステムのサービス品質（ＱｏＳ）パラメーター間のマッピングを実行する。具体的に、前記ユーザー機器の登録モードがシングル登録モードである場合、モバイルネットワークにおける５ＧシステムＱｏＳパラメータとＥＰＳシステムのＱｏＳパラメーター間でマッピングが実行される。または、前記第２の決定モジュール６０２は、具体的に、アクセス制御およびモビリティ管理機能エンティティ（ＡＭＦ）が相互運用インターフェイスをサポートしている場合、異なるシステムのサービス品質（ＱｏＳ）パラメーター間のマッピングを実行する。
【００８４】
セッション接続が５Ｇシステムで確立される場合、前記セッション接続に対応するＱｏＳパラメーターをＥＰＳシステムのＱｏＳパラメーターにマッピングし、セッション接続がＥＰＳシステムで確立されている場合、前記セッション接続に対応するＱｏＳパラメーターを５ＧシステムのＱｏＳパラメーターにマッピングする。
【００８５】
さらに、前記ユーザー機器の登録モードがデュアル登録モードである場合、異なるシステムのサービス品質（ＱｏＳ）パラメーター間のマッピングを実行しない。具体的に、前記ユーザー機器の登録モードがデュアル登録モードである場合、モバイルネットワークにおける５ＧシステムＱｏＳパラメータとＥＰＳシステムのＱｏＳパラメーター間でマッピングが実行されない。
当該実施例によるセッション管理装置の動作原理は、上記のセッション管理方法と同じであるため、ここでは繰り返しの説明は省略する。
【００８６】
当該実施例による技術的解決策では、ユーザ機器の登録モードがシングル登録モードである場合、すなわち、ユーザ機器は５Ｇシステム、または、ＥＰＳシステムにのみ登録されるか、または、ネットワーク側装置が相互運用機能をサポートする場合、マッピングは５ＧシステムのＱｏＳパラメーターとＥＰＳのＱｏＳパラメーター間で実行されるため、ユーザー機器がＥＰＳと５Ｇシステムの間で移動する間、ユーザー機器のセッション接続は、常に同じユーザープレーンアンカーに固定される。ユーザー機器の登録モードがデュアル登録モードである場合、つまりユーザー機器が５ＧシステムとＥＰＳの両方に登録されている場合、ユーザー機器のセッション接続は、常に同じユーザープレーンアンカーに固定されるため、モバイルネットワークにおける５ＧシステムＱｏＳパラメータとＥＰＳシステムのＱｏＳパラメーター間でのマッピングは実行されない。したがって、ユーザー機器がモバイルネットワーク内の異なるシステム間を移動している間、ユーザー機器のセッション接続の継続性を保証することができる。
【００８７】
本発明の実施例３によるコンピュータ装置は、プロセッサを備える。前記プロセッサは、上述の実施例による前記セッション管理方法を実施するために、メモリに格納されたコンピュータプログラムを実行する。
【００８８】
本発明の実施例４は、プロセッサによって実行されると、上述の実施例による前記セッション管理方法を実行するように構成されたコンピュータプログラムを記憶するコンピュータ可読記憶媒体を、提供する。
【００８９】
本発明の実施例５に係る通信装置は、
メモリ内のプログラムを読み取って実行するように構成されたプロセッサと、
プロセッサの制御下でデータを送受信するように構成された送受信機とを備える。
【００９０】
前記プロセッサは、セッション確立リクエストを送信するユーザー機器の登録モードを決定するか、ユーザー機器によって送信されたセッション確立リクエストを受信するネットワーク側装置が相互運用機能をサポートするかどうかを決定し、
前記登録モードがシングル登録モードであるか、前記ネットワーク側装置が相互運用機能をサポートしていることに応じて、前記ユーザー機器のセッション接続を確立するときに、異なるシステムのサービス品質（ＱｏＳ）パラメーター間のマッピングを実行することを決定する。
【００９１】
通信装置の具体的な実施は、セッション管理方法、セッション管理装置の実施を参照することができる。
上述の本発明の実施例による技術案は、少なくとも以下の技術的な効果またはメリットを有する。
【００９２】
ＰＧＷ−Ｃ機能をサポートするＳＭＦは、ユーザー機器の登録モードを決定することができ、またはＡＭＦが相互運用機能をサポートするかどうかを決定することができる。登録モードまたはＡＭＦが相互運用機能をサポートするかどうかに従って、モバイルネットワークの異なるシステムのＱｏＳパラメーター間のマッピングを実行することにより、前記ＳＭＦがセッション接続のために異なるシステムのＱｏＳパラメーター間のマッピングを正しく実行できるようにする。
【００９３】
上述した実施形態に記述された技術的な解決手段を改造し、或いはその中の一部の技術要素を置換することもできる。そのような、改造と置換は本発明の各実施形態の技術の範囲から逸脱するとは見なされない。
【００９４】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【００９５】
ＵＥ  ユーザー機器
ＡＭＦ  モビリティ管理機能エンティティ
ＳＭＦ  セッション管理機能エンティティ
【図１】
0006980172.tif 000002
【図２】
0006980172.tif 000003
【図３】
0006980172.tif 000004
【図４】
0006980172.tif 000005
【図５Ａ】
0006980172.tif 000006
【図５Ｂ】
0006980172.tif 000007
【図６】
0006980172.tif 000008